(57)【要約】      （修正有）【課題】作業性を悪くせず、風によってめくれ上がったり外れてしまったりすることのない物干しカバーと、充分な干し物吊下げ力を有する金属タイプのピンチ（洗濯ばさみ）を提供する。【解決手段】物干しカバー６は、吊金具１の基部に挿通した後に開口部を閉じて固定するＵ形開先と、該Ｕ形開先より外方へ大きく開く上開口縁および下開口縁を重ね合わせて固定する開閉部とを有する。下開口縁の上側にはリブを形成し、上開口縁と下開口縁との重ね合せた隙間から入り込む水滴が外方へ導き流出されるようにした。また、たが枠体３の外周にピンチで吊下げられた干し物の外側に離間させて配置し、めくれや外れを防止する固定具を設けた。たが枠体に下げられたピンチ４は、耐候性の点から金属タイプ（ステンレス製）とし、その挟持部に保持面積を大きくして摩擦力を高め吊り荷重を増やす作用のある一対の保持部品を備えた。【選択図】図１
2020028695.tif 000002
【特許請求の範囲】
【請求項１】
吊金具に鎖、又はロープで吊下げられたたが枠体に下げられた複数のピンチで吊下げられた干し物が、雨による濡れ、花粉、黄砂、及び塵埃等による汚れ防止のため施される物干しカバーを設けたものであって、該物干しカバーには、吊金具の基部を嵌通する穴が設けられ、たが枠体外周に、ピンチで吊下げられた干し物の外側に物干しカバーを離間して配置すると共に、物干しカバーが外れないよう固定する物干しカバー固定具が設けられ、該物干しカバー固定具のフック状端部に引っ掛け固定される帯引っ掛け部が物干しカバーの裏面に形成され、物干しカバーのめくれを防止し、更に、物干しカバーの頂部の吊金具の基部を嵌通させる穴の隙間よりの雨水の漏れを防ぐ為、吊金具基部が嵌通される通し穴を設け、該通し穴より外方へスリットを入れたプラスチック製、又はゴム製のトップシートが後付けできるように設けられ、該トップシートを物干しカバーの頂部に装着後は、スリットの弾性で前記隙間がないようにされることを特徴とする物干し具。
【請求項２】
物干しカバーには、吊金具の基部を挿通した後に開口部を閉じて固定するＵ形開先が設けられ、該Ｕ形開先より外方へ大きく開く、上開口縁と下開口縁とを重ね合わせてマジックテープやボタン等で固定し、そして、重ね合わされる下開口縁の上側にはリブを形成し、上開口縁と下開口縁との重ね合わせた隙間から入り込む水滴がリブで外方へ導き流出されるようにした開閉部を形成したことを特徴とする請求項１記載の物干し具。
【請求項３】
たが枠体に下げられたピンチ（洗濯ばさみ）は、針金が曲折されることにより、相互に対向し、接近する方向に付勢された前端における一対の挟持部と、相互に対向し、間隙をもって配置された後端における一対の操作部と、一対の挟持部からそれぞれ一対の操作部へ向けて伸びる一対の操作軸と、コイルばねの軸線がこれら挟持部、及び操作部の幅方向に沿って配置されたコイルばねとで構成され、よって、該一対の操作軸がコイルばねの外周上を通過させ、前記一対の操作部を挟圧すると、一対の操作軸がコイルばねの外周上の支点を中心に傾動し、一対の挟持部を互いに離反する動作がされ、該挟持部のそれぞれの先端には、一対のプラスチック製保持部品を有し、その保持部品の表面の干し物保持面に対する背面の先端部及び後部の各部位に２個以上のフック構造をした弾性ばね部ピンが立設され、前記挟持部の押圧、装着保持の取付け後は、脱落防止されることになり、保持面積を大きくして摩擦力を高め、吊り荷重を増やすことが可能とされることを特徴とする請求項１乃至請求項２のいずれか１項記載の物干し具。
【発明の詳細な説明】
【技術分野】
【０００１】  本発明は、吊金具に鎖、又はロープで吊下げられたたが枠体に下げた複数のピンチ（洗濯ばさみ）を介して干し物（洗濯物等）が吊下げられるものにおいて、雨、及び花粉、塵埃の被害対策のため、物干しカバーが付設された物干し具に関するものである。
【背景技術】
【０００２】  従来、折角洗った干し物（洗濯物）が、雨に濡れたり、花粉、黄砂、及び塵埃等の付着で汚れてしまい、この被害に対処するべき物干し具が提案されている。【０００３】  吊金具に鎖、又はロープで吊下げられたたが枠体の中央に丸棒状のハンガー掛け竿を設け、その両側のたが枠体にはピンチ吊り枠が固定され、ハンガー掛け竿にハンガーを、たが枠体、及びピンチ吊り枠に取り外し自在のピンチが吊下げられて、干し物の種類によって、ハンガーとピンチとの使い分けをし、雨による濡れ、花粉、黄砂、及び塵埃等による汚れ防止のため、穴に吊金具を貫通させ、鎖、又はロープの上方を覆い、その穴が、トップシートを挟持した皿ナットで封緘される屋根カバーを施し、該屋根カバーと、その外周には、たが枠体に吊下げられた防水カーテンとでなる物干しカバーを構成した物干し具があった。（特許文献１）【０００４】  そして、吊金具に鎖、又はロープで吊下げられたたが枠体に、雨による濡れ、花粉、黄砂、及び塵埃等による汚れ防止のため、施された物干しカバーが、たが枠体に下げられた複数のピンチ（洗濯ばさみ）で吊下げられた干し物（洗濯物）に常時接触させないようにする為、物干しカバー抑え具がたが枠体の四方に装着され、吊金具（フック部）の基部に固定した物干しカバーの上部が干し物の全体を外方から覆うようにし、また、物干しカバーを被せたままで干し物を干したり、干し物を干してから物干しカバーを被せたりすることのできるようにするため、該物干しカバーは、上端から下端へ、大きく開く開閉部を形成する物干し具があった。（特許文献２）【０００５】  ところで、ピンチ（洗濯ばさみ）は、プラスチックタイプ（ポリプロピレン製）が劣化による破壊されやすいので、金属タイプ（ステンレス製）をよいとし、針金を曲折されることにより形成される金属タイプのピンチは、前端において相互に対向し、接近する方向に付勢された一対の挟持部と、後端において相互に対向し、間隔をもって配置された一対の操作部と、一対の挟持部からそれぞれ一対の操作部に向けて伸びる一対の操作軸と、一対の挟持部と一対の操作部との間に配置され、一対の操作軸の当接点から受ける力により変形して一対の挟持部が離反する方向に一対の操作軸を相対的に傾動可能とするように構成され、一対の操作軸の当接点との間を結ぶ線に沿った軸線を有するコイルばね構造とを具備するものがあった。（特許文献３）
【先行技術文献】
【特許文献】
【０００６】
【特許文献１】特許第４３５３４４４号
【特許文献２】特開２００３−１５４１９７号
【特許文献３】実用新案登録第３１９０３９４号
【発明の概要】
【発明が解決しようとする課題】
【０００７】  従来の物干し具は、物干しカバーが、屋根カバーと、防水カーテンと、トップシート等とでなり、複雑な上に、物干しカバーが干し物を干した後に覆い被される後付けのものであるので緊急の作業性を悪くしていた。また、屋根カバーの穴と吊金具との封緘を多くの部品点数での複雑構成にしたものであって、不都合であった。【０００８】  たが枠体に下げられた複数のピンチで吊下げられた干し物に、物干しカバーが、常時接触させないようにする為、たが枠体の四方に、物干しカバー抑え具を装着したものであるが、物干しカバーを物干しカバー抑え具に固定されるものでない為、風によって物干しカバーがめくれ上がったり、外れてしまうことになって不都合であった。【０００９】  そして、プラスチックタイプのピンチでは、挟持部の先端に複数の凹凸を形成することによりその凹凸の多くの点で引っ掛かり、ピンチのばね力が弱くても干し物の吊下げ力を得ることができたが、耐候性が弱く、破壊し易く、壊れた際には、全く廃棄せねばならない程になり、使用された金属ばね等を分別しなければならず、大変な手間数を要することになった。そこで、金属タイプのピンチにしたが、挟持部の先端が断面円形の針金であるので、摩擦力、引っ掛かり力が共に弱く、干し物の吊り下がり力を得るには、ばね力を増やす必要かあり、開く力（操作力）を大きくせざるを得ず、結果的には、操作部を押圧する指圧を大きくしなければならず、それには限界があった。
よって、物干しカバー付設の物干し具のピンチとしては、使い勝手が悪く、効果的なものでなかった。
【課題を解決するための手段】
【００１０】  本発明の物干し具は、吊金具に鎖、又はロープで吊下げられたたが枠体に下げられた複数のピンチで吊下げられた干し物が、雨による濡れ、花粉、黄砂、及び塵埃等による汚れ防止のため施される物干しカバーを設けたものであって、該物干しカバーには、吊金具の基部を嵌通するために穴が設けられ、たが枠体外周に、ピンチで吊下げられた干し物の外側に物干しカバーを離間して配置すると共に、物干しカバーが外れないように固定する物干しカバー固定具が設けられ、該物干しカバー固定具のフック状端部に引っ掛け固定される帯引っ掛け部が物干しカバーの裏面に形成され、物干しカバーのめくれを防止し、更に、物干しカバーの頂部の吊金具の基部を嵌通させる穴の隙間よりの雨水の漏れを防ぐ為、吊金具基部が嵌着される通し穴を設け、該通し穴より外方へスリットを入れたプラスチック製、又はゴム製のトップシートが後付けできるように設けられ、該トップシートを物干しカバーの頂部に装着後は、スリットの弾性で前記隙間がないようにされるものである。【００１１】  また、物干しカバーには、吊金具の基部を挿通した後に開口部を閉じて固定するＵ形開先が設けられ、該Ｕ形開先より外方へ大きく開く、上開口縁と下開口縁とを重ね合わせてマジックテープやボタン等で固定し、そして、重ね合わされる下開口縁の上側にはリブを形成し、上開口縁と下開口縁との重ね合わせた隙間から入り込む水滴がリブで外方へ導き流出されるようにした開閉部を形成したものである。【００１２】  たが枠体に下げられたピンチ（洗濯ばさみ）は、針金を曲折されることにより、相互に対向し、接近する方向に付勢された前端における一対の挟持部と、相互に対向し、間隙をもって配置された後端における一対の操作部と、一対の挟持部からそれぞれ一対の操作部へ向けて伸びる一対の操作軸と、コイルばねの軸線がこれら挟持部、及び操作部の幅方向に沿って配置されたコイルばねとで構成され、よって、該一対の操作軸がコイルばねの外周上を通過させ、前記一対の操作部を挟圧すると、一対の操作軸はコイルばねの外周上の支点を中心に傾動し、一対の挟持部を互いに離反する動作がされ、該挟持部のそれぞれの先端には、一対のプラスチック製保持部品を有し、その保持部品の表面の干し物保持面に対する背面の先端部及び後部の各部位に２個以上のフック構造をした弾性ばね部ピンが立設され、前記挟持部の押圧、装着保持の取付け後は、脱落防止することになり、保持面積を大きくして摩擦力を高め、吊り荷重を増やすことが可能とされるものである。
【発明の効果】
【００１３】  本発明の物干し具の物干しカバーは、たが枠体に下げられたピンチの操作に影響しないようにでき、傘状に物干しカバーを取付けることで従来の物干し具と同じ方法での作業ができ、且つ、干し物を雨や花粉、塵埃から守ることが出来る。
物干しカバー上部の吊金具基部嵌着の穴等による隙間からの水滴の侵入を防ぐ為に、物干しカバーの吊金具基部とその嵌着の穴との間に隙間ができないようにするため、プラスチック製やゴム製のトップシートが使用され、該トップシートは、スリットを施されることにより、装着時にはスリットを広げ、吊金具の基部が通し穴に嵌った後には、スリットが隙間のないように元に戻り、雨や花粉、塵埃の侵入を防ぐことができる。
尚、簡単な形状で、単部品であるので安価で製作でき、且つ、後付けできるので交換や既存製品への転用も可能である。
また、たが枠体外周に、ピンチで吊下げられた干し物の外側に物干しカバーを離間して配置すると共に、物干しカバーが外れないよう固定された物干しカバー固定具が形成されているので、該物干しカバー固定具のフック状端部が物干しカバーの帯引っ掛け部に引っ掛け固定され、物干しカバーの風によるめくれを防ぐことができ、且つ、物干しカバーと干し物とが物干しカバー固定具で離間されているので、干し物を濡れたり、汚したりすることがないように出来る。【００１４】  本発明の物干し具におけるたが枠体に下げられたピンチ（洗濯ばさみ）は、一対の挟持部のそれぞれの先端に、一対のプラスチック製保持部品をその背面の先端部及び後部の各部位に２個以上のフック構造をした弾性ばね部ピンが立設され、前記挟持部の押圧、装着保持の取付け後は、脱落防止することになり、保持面積を大きくし、摩擦力を高め、吊下げ力が大きくなり、結果的に、ピンチの弱いばね力でも同様な吊下げ力が得られることになる。よって、より弱いピンチのばね力での操作が可能となる。尚、保持部品は、後付け出来るので、交換や既存製品への転用も可能である。
【図面の簡単な説明】
【００１５】
【図１】  Ｕ形開先が設けられた物干しカバー付き物干し具の全体構造図である。
【図２】  Ｕ形開先が設けられた物干しカバー付き物干し具の分解構造図である。
【図３】  穴が設けられた物干しカバーの構造図である。
【図４】  物干しカバーの上開口縁と下開口縁との重ね合せでなる開閉部の断面図である。
【図５】  物干しカバーの頂部にトップシートが設けられた形態図である。
【図６】  トップシートの形態図である。
【図７】  たが枠体の外周に設けられた物干しカバー固定具の形態図である。
【図８】  たが枠体に下げられたピンチ（洗濯ばさみ）の形態図である。
【図９】  たが枠体に下げられたピンチの保持部品の形態図である。
【図１０】  目隠しシートの取付け構造図である。
【発明を実施するための形態】
【００１６】  本発明の物干し具は、図１、及び図２に示す如く、吊金具１に鎖、又はロープ２で吊下げられたたが枠体３に下げられた複数のピンチ４で干し物５が吊下げられ、該干し物が雨に濡れ、花粉、黄砂、及び塵埃等による汚れを防止する為に、物干しカバー６を付設させたものである。
物干しカバー６は、吊金具１の基部１１を挿通した後に開口部を閉じて固定するＵ形開先６１１が設けられ、図４、図５、及び図６に示す如く、該Ｕ形開先６１１より外方へ大きく開く、上開口縁６２１と、下開口縁６２２とを重ね合わせてマジックテープやボタン６２３等で固定し、そして、重ね合わされる下開口縁６２２の上側にリブ６２４を形成し、上開口縁６２１と下開口縁６２２との重ね合わせた隙間から入り込む水滴が前記リブ６２４で外方へ導き流出させるようにした開閉部６２を形成し、また、図７に示す如く、たが枠体３外周にピンチ４で吊下げられた干し物５の外側に物干しカバー６を離間して配置すると共に、物干しカバー６が外れないように固定される物干しカバー固定具３１が設けられ、該物干しカバー固定具３１のフック状端部３１１に引っ掛け固定される帯引っ掛け部６２５が物干しカバー６の裏面に形成され、物干しカバー６のめくれを防止し、更に，図５、及び図６に示す如く、物干しカバー６の頂部６０の吊金具１の基部１１を挿通させるＵ形開先６１１、及び前記開閉部６２の隙間よりの雨水の漏れを防ぐ為に、吊金具基部１１の通し穴７１を設け、該通し穴より外方へスリット７２を入れたプラスチック製、又はゴム製のトップシート７が後付けできるように設けられ、物干しカバー６の頂部６０に装着後は、スリット７２の弾性で前記隙間がないようにされるものである。
【００１７】  本発明の物干しカバー６付設の物干し具は、該物干しカバーの開閉部６２の大きく開く開閉で、干し物５を干した状態で物干しカバー６の設置をすることも、また、物干しカバー６を設置した後に、干し物５を干すようにすることも出来、その上、その開閉部６２には、下開口部６２２にリブ６２４が形成されているので、上開口部６２１と下開口部６２２との重ね合わせた隙間から入り込む水滴を、前記リブ６２４で外方へ導き流出させることになる。
たが枠体３の外周には、物干しカバー固定部３１が設けられ、ピンチ４で吊下げられた干し物５の外側に物干しカバー６を離間して配置すると共に、物干しカバー固定具３１のフック状端部３１１に物干しカバー６の裏面に形成された帯引っ掛け部６２５を引っ掛け固定し、物干しカバー６のめくれを防止することになる。
後付けでもよいが、物干しカバー６の頂部６０には、吊金具の基部１１の通し穴７１と、該通し穴より外方へスリット７２とを入れたトップシート７がスリット７２の弾性で装着され、物干しカバー６の頂部６０の吊金具１の基部１１を嵌通させる穴６１、及び開閉部６２の隙間よりの雨水の濡れを防ぐことになる。
尚、図１０に示す如く、物干しカバー６の下端縁にマジックテープやボタン等の取付具６３１で目隠しの為の目隠しシート６３を取付けることも可能である。
【００１８】  本発明の物干し具における吊金具１の基部１１を嵌通する穴６１を設けた物干しカバー６０１は、図４に示す如く、たが枠体３外周にピンチ４で吊下げられた干し物５の外側に物干しカバー６０１を離間して配置すると共に、物干しカバー６０１が外れないように固定する物干しカバー固定具３１が設けられ、該物干しカバー固定具のフック状端部３１１に引っ掛け固定される帯引っ掛け部６２５が物干しカバー６０１の裏側に形成され、物干しカバー６０１のめくれを防止させている。
【００１９】  本発明の物干し具のたが枠体３に下げられたピンチ４は、図８に示す如く、針金を曲折させることにより、相互に対向し、接近する方向に付勢された前端における一対の挟持部４１と、相互に対向し、間隙をもって配置された後端における一対の操作部４２と、一対の挟持部４１からそれぞれ一対の操作部４２に向けて伸びる一対の操作軸４３と、コイルばね４４の軸線４４１がこれら挟持部４１、及び操作部４２の幅方向に沿って配置されるコイルばね４４とで構成され、一対の操作軸４３がコイルばね４４の外周上を通過させ、前記一対の操作部４２を挟圧すると、一対の操作軸４３はコイルばね４４の外周上の支点４４２を中心に傾動し、一対の挟持部４１を互いに離反する動作がされ、図９に示す如く、該挟持部４１のそれぞれの先端には一対のプラスチック製保持部品４５を有し、その保持部品４５の表面の干し物保持面４５１に対する背面４５２の先端部４５３及び後部４５４の各部位に、２個以上のフック構造をした弾性ばね部ピン４５５が立設され、前記挟持部４１の押圧、装着保持の取付け後は、脱落防止することになり、干し物保持面４５１の保持面積を大きくして摩擦力を高め、吊り荷重を増やすことが可能となる。
【符号の説明】
【００２０】１        吊金具
１１      基部
２        鎖、又はロープ
３        たが枠体
３１      物干しカバー固定具
３１１    フック状端部
４        ピンチ
４１      挟持部
４２      操作部
４３      操作軸
４４      コイルばね
４４１    軸線
４４２    支点
４５      保持部品
４５１    干し物保持面
４５２    背面
４５３    先端部
４５４    後部
４５５    フック構造をした弾性ばね部ピン
５        干し物
５１      薄い衣類（干し物）
５２      厚い衣類（干し物）
６        物干しカバー
６０      頂部
６０１    物干しカバー
６１      穴
６１１    Ｕ形開先
６２      開閉部
６２１    上開口縁
６２２    下開口縁
６２３    マジックテープやボタン
６２４    リブ
６２５    帯引っ掛け部
６３      目隠しシート
６３１    マジックテープやボタン等の取付具
７        トップシート
７１      通し穴
７２      スリット
【図１】
2020028695.tif 000003
【図２】
2020028695.tif 000004
【図３】
2020028695.tif 000005
【図４】
2020028695.tif 000006
【図５】
2020028695.tif 000007
【図６】
2020028695.tif 000008
【図７】
2020028695.tif 000009
【図８】
2020028695.tif 000010
【図９】
2020028695.tif 000011
【図１０】
2020028695.tif 000012